(57)【要約】【課題】接触式の書込ヘッドと像担持体の磨耗による画像形成不良、摩擦による接触不安定性、書込ヘッド間でのリークによる画像形成不良を解消する。【解決手段】像担持体２の表面に接触又は近接して書込電圧を印加し像担持体上に静電潜像を書き込む書込手段３と、現像剤６を供給して書込手段３により像担持体上に形成された静電潜像を現像し現像剤像を形成する現像手段４と、現像手段４により像担持体に形成された現像剤像を転写体に転写する転写手段５と、像担持体２の表面に誘電性液体７を供給する手段とを備え、像担持体２の表面に誘電性液体７が塗布された状態で書込手段３により静電潜像を書き込むようにして、接触式の書込ヘッド（電極）と像担持体の摩擦力を低減し、書込ヘッド及び像担持体の磨耗を防止し、磨耗量の減少による長寿命化を実現する。【選択図】　　　図１
2004130597.tif 000002
【特許請求の範囲】
【請求項１】
像担持体に静電潜像を形成し現像して現像剤像を形成し転写体に転写する画像形成装置において、
前記像担持体の表面に接触又は近接して書込電圧を印加し前記像担持体上に静電潜像を書き込む書込手段と、
現像剤を供給して前記書込手段により前記像担持体上に形成された静電潜像を現像し現像剤像を形成する現像手段と、
前記現像手段により前記像担持体に形成された現像剤像を転写体に転写する転写手段と、
前記像担持体の表面に誘電性液体を供給する手段と
を備え、前記像担持体の表面に前記誘電性液体が塗布された状態で前記書込手段により静電潜像を書き込むようにしたことを特徴とする画像形成装置。
【請求項２】
前記書込手段は、前記像担持体上に複数の凸部を有する書込電極を並列に配置したものであることを特徴とする請求項１記載の画像形成装置。
【請求項３】
前記像担持体の表面に塗布される前記誘電性液体は、前記凸部より厚い塗布膜を形成することを特徴とする請求項２記載の画像形成装置。
【請求項４】
前記誘電性液体を供給する手段は、前記像担持体上の前記転写手段から前記現像手段までの間に配置されることを特徴とする請求項１〜３のいずれかに記載の画像形成装置。
【請求項５】
前記像担持体上に電荷を一様にする除電部を備えることを特徴とする請求項１〜４のいずれかに記載の画像形成装置。
【請求項６】
前記誘電性液体を供給する手段は、前記像担持体上の電荷を一様にする除電部を兼ね備えることを特徴とする請求項１〜５のいずれかに記載の画像形成装置。
【請求項７】
前記除電部は、導電性部材で構成され且つ電圧を供給されることを特徴とする請求項５、６のいずれかに記載の画像形成装置。
【請求項８】
前記誘電性液体を供給する手段は、前記誘電性液体を含む現像剤であり、該現像剤を前記現像手段から前記像担持体上に供給することにより塗布膜を形成することを特徴とする請求項１〜３のいずれかに記載の画像形成装置。
【請求項９】
前記誘電性液体は、粘度１００〜１００００（ｍＰａ・ｓ）の範囲のものであることを特徴とする請求項１〜８のいずれかに記載の画像形成装置。
【請求項１０】
前記像担持体は、表面に島状に導電性微粒子が分散形成されていることを特徴とする請求項１〜９のいずれかに記載の画像形成装置。
【発明の詳細な説明】
【０００１】
【発明の属する技術分野】
本発明は、書込電極により像担持体に静電潜像を形成し現像して現像剤像を形成し転写体に転写する画像形成装置に関する。
【０００２】
【従来の技術】
帯電書込ヘッドを使って像担持体上に選択的に静電潜像を形成する方式として多針電極方式があるが、この方式は、静電潜像電位がバラツキやすく、静電潜像分解能も経時変化するため、画像品質が低下する、さらに、針電極と像担持体との間隙や位置決めのための高精度な保持部材や位置決め部材が必要であり、装置の複雑化、大型化を招く、針電極のため接触圧力が高く、電極および像担持体が短時間で損傷してしまう、印字高速化が難しいとともに、中間像担持体として使用するため、装置の大型化を招くなどの問題を有している。
【０００３】
この問題を解決するために、帯電書込装置の基材を像担持体に弾性接触させ、基材に設けた書込電極により像担持体上に静電潜像を形成する画像形成装置が提案されており（例えば、特許文献１、２参照）、図イによりその画像形成装置の概略を説明する。
【０００４】
図１０において、画像形成装置２１は、静電潜像が形成される潜像担持体２２と、潜像担持体２２に接触してこの潜像担持体２２に静電潜像を書き込む書込装置（以下、書込ヘッドともいう）２３と、潜像担持体２２上の静電潜像を現像剤担持体（現像ローラ）２４ａに担持・搬送された現像剤で現像する現像装置２４と、この現像装置２４で現像された潜像担持体２２上のトナー像（現像剤像）を紙等の転写材２５に転写する転写装置２６と、転写後の潜像担持体２２上に残っている電荷を除電するかまたは転写後の潜像担持体２２を帯電するかして潜像担持体２２上を一様電荷状態にする潜像担持体一様電荷制御装置２７とを少なくとも備えている。
【０００５】
書込ヘッド２３は、ＦＰＣ（Ｆｌｅｘｉｂｌｅ　Ｐｒｉｎｔ　Ｃｉｒｃｕｉｔの略、以下ＦＰＣと称す）あるいはＰＥＴ（ポリエチレンテレフタレートの略、以下ＰＥＴと称す）等の絶縁性が高くかつ比較的柔らかく弾性のある可撓性の基材２３ａと、この基材２３ａに支持されかつこの基材２３ａの撓みによる弱い弾性復元力で潜像担持体２２上に軽く押圧されて接触して静電潜像を書き込む書込電極２３ｂとを備えている。
【０００６】
このように構成された画像形成装置２１においては、潜像担持体一様電荷制御装置２７で潜像担持体２２上を一様電荷状態にした後、潜像担持体２２に接触している書込ヘッド２３により、静電潜像が一様電荷状態の潜像担持体２２上に書き込まれる。そして、潜像担持体２２上の静電潜像が現像装置２４の現像剤で現像され、そのトナー像が転写装置２６で転写材２５に転写される。
【０００７】
【特許文献１】
特開２００２−１７８５５４号公報
【０００８】
【特許文献２】
特開２００２−１７２８１３号公報
【０００９】
【発明が解決しようとする課題】
上記従来の画像形成装置では、書込ヘッドと像担持体が接触し、かつある程度以上の接触圧を以て接触配置するため、書込ヘッドあるいは像担持体が摩耗により削られてしまう。書込ヘッドにおいて、摩耗により削られてしまい、凸部（接触部）がなくなると、潜像形成ができなくなり、凸部（接触部）の形状が変形すると、潜像の形状も変形して形成されてしまう。また、像担持体において、摩耗により削られてしまうと、電荷注入させるための電荷注入部も摩耗するため、潜像形成ができなくなる。したがって、帯電書込プロセスにおいては、その構成部材（書込ヘッド、像担持体）等の摩耗は極力抑えなければならない。
【００１０】
また、書込ヘッドには、高圧の電圧を印加するため、隣接する書込ヘッド間での気中放電（クロストーク、リーク）による画像形成不良が問題になる。そのため、書込ヘッド間距離は、ある程度以上の距離を離して配置することが必要となる。現状では、書込ヘッド間を７０〜１００μｍピッチとしている。これ以上隣接すると気中放電による影響が大きく、プロセスが成立しない。さらに、従来の画像形成装置では、帯電書込プロセスにおいて、書込ヘッド部に転写後の残トナー等が付着することで、画像形成不良が起こるなどの問題を有している。
【００１１】
【課題を解決するための手段】
本発明は、上記課題を解決するものであって、接触式の書込ヘッドと像担持体の磨耗による画像形成不良、摩擦による接触不安定性、書込ヘッド間でのリークによる画像形成不良を解消するものである。
【００１２】
そのために本発明は、像担持体に静電潜像を形成し現像して現像剤像を形成し転写体に転写する画像形成装置において、前記像担持体の表面に接触又は近接して書込電圧を印加し前記像担持体上に静電潜像を書き込む書込手段と、現像剤を供給して前記書込手段により前記像担持体上に形成された静電潜像を現像し現像剤像を形成する現像手段と、前記現像手段により前記像担持体に形成された現像剤像を転写体に転写する転写手段と、前記像担持体の表面に誘電性液体を供給する手段とを備え、前記像担持体の表面に前記誘電性液体が塗布された状態で前記書込手段により静電潜像を書き込むようにしたことを特徴とするものである。
【００１３】
前記書込手段は、前記像担持体上に複数の凸部を有する書込電極を並列に配置したものであることを特徴とし、前記像担持体の表面に塗布される前記誘電性液体は、前記凸部より厚い塗布膜を形成することを特徴とし、前記誘電性液体を供給する手段は、前記像担持体上の前記転写手段から前記現像手段までの間に配置されることを特徴とするものである。
【００１４】
前記像担持体上に電荷を一様にする除電部を備えることを特徴とし、前記誘電性液体を供給する手段は、前記像担持体上の電荷を一様にする除電部を兼ね備えることを特徴とし、前記除電部は、導電性部材で構成され且つ電圧を供給されることを特徴とするものである。
【００１５】
前記誘電性液体を供給する手段は、前記誘電性液体を含む現像剤であり、該現像剤を前記現像手段から前記像担持体上に供給することにより塗布膜を形成することを特徴とし、前記誘電性液体は、粘度１００〜１００００（ｍＰａ・ｓ）の範囲のものであることを特徴とし、前記像担持体は、表面に島状に導電性微粒子が分散形成されていることを特徴とするものである。
【００１６】
【発明の実施の形態】
以下、本発明の実施の形態を図面を参照しつつ説明する。図１は本発明に係る画像形成装置の実施の形態を示す図であり、１は画像形成装置、２は像担持体、３は書込ヘッド、４は現像装置、４ａは現像剤担持体、４ｂは供給部材、５は転写部、６は現像剤、７は誘電性液体を示す。
【００１７】
本発明に係る画像形成装置１は、図１に示すように誘電性液体７が常時塗布され静電潜像が形成される像担持体２と、像担持体２に接触してこの像担持体２に静電潜像を書き込む書込ヘッド３と、像担持体２上の静電潜像を現像剤担持体（現像ローラ）４ａに担持・搬送された現像剤６で現像する現像装置４と、この現像装置４で現像された像担持体２上のトナー像を紙等の転写材に転写する転写部５とを少なくとも備えている。
【００１８】
書込ヘッド３は、ＦＰＣあるいはＰＥＴ等の絶縁性が高くかつ比較的柔らかく弾性のある可撓性の基材と、その基材に支持されかつこの基材の撓みによる弱い弾性復元力で像担持体２上に軽く押圧されて接触して静電潜像を書き込む書込電極とを備えている。書込電極そのものは、像担持体２の表面に接触又は近接して書込電圧が印加されるようになっている。
【００１９】
像担持体２は、アルミニウム等の導電性材料からなり、例えば基材と、この基材の外周に形成された絶縁性を有する誘電体層とからなっている。この誘電体層に対し、書込ヘッド３のＦＰＣ等からなる基材に書込電極が支持され、前述のように所定の軽い押圧力で直接或いは基材を介して接触しているとともに、像担持体２が所定の速度ｖで移動（回転）する。書込電極には、所定の高電圧Ｖ０　または所定の低電圧Ｖ１　が基材を介して選択的に切り替えられて印加されるようになっている。
【００２０】
現像装置４は、像担持体２に対向して設けられ、湿式の現像剤６を貯蔵し貯蔵されている現像剤６を供給する供給部材４ｂ、供給部材４ｂにより供給される現像剤６を担持し像担持体２に搬送するる現像剤担持体４ａを備えている。現像剤担持体４ａと供給部材４ｂとは弾性接触して周速差をもってアゲインスト方向に回転し、現像剤６を擦り付けるようにして現像剤担持体４ａの表面に所定厚みの現像剤層を形成する。この時、現像剤６は現像剤担持体４ａと供給部材４ｂとの摩擦により所定極性に帯電する。現像剤担持体４ａと像担持体２はフォワード方向に回転して、周速差によりスリップしながら感光体上の静電潜像を非接触現像又は接触現像する。図１（Ａ）が非接触現像の画像形成装置、図１（Ｂ）が接触現像の画像形成装置を示している。
【００２１】
現像剤担持体４ａと供給部材４ｂは、直流バイアス電源及び交流バイアス電源（図示せず）より、直流バイアスをＶｄｃとし、これに交流が重畳された交流重畳バイアスの最大値、最小値をそれぞれＶｍａｘ　、Ｖｍｉｎ　、交流バイアスの最大値・最小値間電圧をＶｐｐ（＝Ｖｍａｘ　−Ｖｍｉｎ　）とする交流重畳バイアスが印加される。これらのバイアスを適切に設定することにより、非画像部に対する現像剤の付着が発生せず、非画像部のカブリがなく、かつ画像にムラが少ない、しかも階調性に優れ、細線の再現性がよい印字の条件を設定することができる。
【００２２】
誘電性液体７は、気中放電を起こりにくくし、書込ヘッド３による高周波の振動を防止し、像担持体２及び書込ヘッド３の摩耗を防止する誘電性の溶液であり、これを像担持体２上に一定量塗布することで、つまり、書込ヘッド３の電極部（凸部）よりも厚く塗布することで電極部もこの溶液で覆われるようになり、摩耗の防止効果を高めることができる。
【００２３】
誘電性液体７は、粘性の低い低粘度の液体の場合、書込ヘッド３による高周波の振動を防止する効果がないが、高粘度の液体を用いると、書込ヘッド３と像担持体との間に強い粘性による吸着力が働き、書込ヘッド３に印加される高周波（０．１〜３．０ｋＨｚ）による振動の影響を相殺する効果が現れる。しかし、粘性がありまにも高すぎると、書込ヘッド３が像担持体に引っ張られるため、トナー像形成不良を起こす要因となる。
【００２４】
したがって、誘電性液体７は、高粘度（１００〜１００００ｍＰａ・ｓ）のシリコーンオイル等の誘電性の溶液が好ましく、例えば、ＫＦ９６（信越シリコーン株式会社製）、ＳＨ２００オイル（東レ・ダウコーニング・シリコーン株式会社製）等を採用することができ、また、一般に使用されている溶液（例えば、特開平１１−１６０９１８号公報、特許第２８３１３８７号明細書参照）を採用することができる。
【００２５】
図２は像担持体を独立フローティング電極構造とした本発明に係る画像形成装置の他の実施の形態を示す図、図３は像担持体を誘電体層と抵抗層の二層構造とした本発明に係る画像形成装置の他の実施の形態を示す図、図４は像担持体を独立電極単層構造とした本発明に係る画像形成装置の他の実施の形態を示す図、図５は画像形成部の外観斜視図である。図中、２ａは基材、２ｂは誘電体層、２ｂ′は誘電体部、２ｂ″は導電体部、２ｃは独立フローティング電極部、２ｃは抵抗層、３ａは基材、３ｂは書込ヘッド当接部、３ｃはドライバＩＣを示す。
【００２６】
像担持体２は、図２に示すように基材２ａと、この基材２ａの外周に形成された絶縁性を有する誘電体層２ｂとからなり、誘電体層２ｂの表面に独立フローティング電極部２ｃを有するものや、図３に示すように基材２ａの外周に形成された絶縁性を有する誘電体層２ｂのさらに表層に抵抗層２ｃを有するもの、図４に示すように基材２ａの外周に形成された絶縁性を有する誘電体層からなる絶縁体部２ｂ′と、さらにその表層に島状に導電性微粒子からなる導電体部２ｂ″で構成するものであってもよい。書込ヘッド３は、誘電性液体７が塗布されたこれら像担持体２に対し、図２〜図４、図５に示すように弾性のある可撓性の基材３ａにおいて、ドライバＩＣ３ｃを支持すると共に、書込電極３ｂを支持した先端の書込ヘッド当接部３ｂが軽く押圧されて接触する。
【００２７】
図６は誘電性液体の外部塗布機構を有する本発明に係る画像形成装置の他の実施の形態を示す図、図７は除電機構を兼ねた誘電性液体の外部塗布機構を有する本発明に係る画像形成装置の他の実施の形態を示す図、図８は除電機構を別配置した外部塗布機構を有する本発明に係る画像形成装置の他の実施の形態を示す図である。図中、８１、８２、８３は誘電性液体供給部、８３ａは誘電性液体注入部、９１、９２は除電部を示す。
【００２８】
上記実施形態においては、誘電性液体７を像担持体２上に一定量塗布するために、誘電性液体７を含む湿式の現像剤６を現像装置４に貯蔵して供給、搬送するものであったが、像担持体２上のプロセス上の一部で、誘電性液体７を外部から塗布してもよい。誘電性液体７を塗布する部材は、図６に示すように転写部５から現像装置４までの間、つまり、転写後且つトナー像現像前に配置することが好ましい。例えば図６（Ａ）の誘電性液体供給部８１に示すように転写部５と書込ヘッド３との間、図６（Ｂ）の誘電性液体供給部８２に示すように書込ヘッド３と現像装置４との間に配置される。逆に現像装置４から転写部５までの間、つまり、トナー像現像後且つ転写前に配置すると、誘電性液体を塗布する際の機械的な力や粘性力等で現像された像担持体２上のトナー像の位置ズレ等を起こす場合がある。
【００２９】
像担持体２の表面は、書込ヘッド３により静電潜像を書き込む時に、転写後の電荷が残っていると、その電荷の影響を受けて静電潜像に乱れが生じ画像が劣化することになる。このような画像の劣化を防ぐためには、転写後、書込ヘッド３により静電潜像を書き込む前に除電を行って、像担持体２の表面に残る電荷を取り除き０Ｖに近い一様電荷状態にすることが好ましい。そのための除電機能を備えた誘電性液体供給部８３による構成例を示したのが図７（Ａ）であり、さらに誘電性液体供給部８３に誘電性液体を注入するための誘電性液体注入部８３ａを設けた構成例を示したのが図７（Ｂ）である。これに対し、誘電性液体供給部８１とは別に除電部９１、９２を設けるようにした構成例を示したのが図８であり、図８（Ａ）に示す除電部９１は誘電性液体供給部８１と書込ヘッド３との間に配置し、図８（Ｂ）に示す除電部９３は転写部５と誘電性液体供給部８１との間に配置した例である。除電部は、導電性部材で構成され、除電は、接地電位（アース電位）に接続してもよいし、電圧が供給され一定の電位を付与するものであってもよい。
【００３０】
図９は帯電書込と液体現像を採用した本発明に係る画像形成装置のタンデム方式に採用した他の実施の形態を示す図であり、１Ｙ、１Ｍ、１Ｃ、１Ｋは画像形成ユニット、１１は中間転写体、１２、１３はローラ、１４は転写部を示す。
【００３１】
図９において、画像形成装置１は、各色毎の画像形成ユニット１Ｙ、１Ｍ、１Ｃ、１Ｋによって潜像形成、現像が行われて、それら各色のトナー像が一旦中間転写体１１上に中間転写された後、転写部１４で記録シートに転写されるようになっている。画像形成ユニット１Ｙ、１Ｍ、１Ｃ、１Ｋは、それぞれが像担持体２、書込ヘッド３、現像装置４を備え、像担持体２の表面に静電潜像を形成し、現像を行い、トナー像を中間転写体１１の表面に転写するものである。つまり、中間転写体１１上にイエローＹ、マゼンタＭ、シアンＣおよび黒Ｋの４色のトナー像を順次転写して色重ねしフルカラーの画像形成を行うタンデム方式の画像形成装置であり、無端ベルト状の中間転写体１１を備えている。この無端ベルト状の中間転写体１１は２つのローラ１２、１３の間に張架されて、ローラ１３の位置に１つの転写装置６が設けられている。ローラ１２、１３のうち、駆動側のローラによって図において反時計方向に回転するようになっている。
【００３２】
中間転写体１１の無端ベルトの直線部に沿って、それぞれ各色毎の画像形成ユニット１Ｙ、１Ｍ、１Ｃ、１Ｋが中間転写体１１の回転方向上流側から色Ｋ、Ｃ、Ｍ、Ｙの順に配設されている。もちろん、これらの画像形成ユニット１Ｙ、１Ｍ、１Ｃ、１Ｋは図示以外のどのような順序で配設することもできる。このように構成された画像形成装置１では、まずブラックＫの画像形成ユニット１Ｋにおいて書込電極でブラックＫの静電潜像が像担持体の表面に書き込まれた後、このブラックＫの静電潜像が現像されて中間転写体１１の表面にブラックＫのトナー像が転写される。次いで、シアンＣの画像形成ユニット１Ｃにおいて書込電極でシアンＣの静電潜像が像担持体の表面に書き込まれた後、このシアンＣの静電潜像が現像されて中間転写体１１の表面のブラックＫのトナー像の上にシアンＣのトナー像が重ねて転写される。同様にして、マゼンタＭの画像形成ユニット１Ｍにおいて書込電極でマゼンタＭの静電潜像が像担持体の表面に書き込まれた後、このマゼンタＭの静電潜像が現像されて中間転写体１１の表面にマゼンタＭのトナー像が重ねて転写され、更に、イエローＹの画像形成ユニット１Ｙにおいて書込電極でイエローＹの静電潜像が像担持体の表面に書き込まれた後、このイエローＹの静電潜像がが現像されて中間転写体１１の表面にイエローＹのトナー像が重ねて転写される。そして、転写部１４によって記録シートに各色のトナー像が色合わせされたフルカラーのトナー像が形成される。
【００３３】
帯電書込プロセスの場合には、従来のように乾式トナーを採用すると、書込ヘッド部に転写後の残トナー等が付着することで、画像不良が起こるなどの問題があるが、本実施形態のように湿式トナーを採用することで、書込ヘッド部が常時誘電性液体で濡れた状態が維持されるため、残トナー等の固形分の書込ヘッドへの固着を防止することができ、常時安定した画像形成を行うことができる。
【００３４】
〔実施例１〕
誘電性液体としてＳＨ２００オイル（東レ・ダウコーニング・シリコーン株式会社製）において粘度が５０〜３００００ｍＰａ・ｓのものを準備し、これらを現像剤キャリア（現像剤用溶液）と誘電性液体（外部から塗布液）として用いた。液体現像剤としては、トナーに所定の電荷を与える電荷制御剤、着色顔料、着色顔料を均一に分散させるための分散剤等から構成される。
【００３５】
実験は、図１に示す構成の画像形成装置で行った。像担持体２は、直径３０φの電荷注入ドラムで周速を５０〜３００（ｍｍ／ｓｅｃ）とした。書込ヘッドに印加する信号は、Ｖｏｎ＝３００〜４００（Ｖ）、Ｖｏｆｆ　＝０（Ｖ）とし、矩形波のパルス（デューティ５０％）を周波数０．１〜３（ｋＨｚ）まで振った。また、現像に関しては、上記した液体トナーを液体現像装置に入れた。現像バイアスは、Ｖｄｃ＝３００〜４００（Ｖ）、Ｖｐｐ＝３００〜４００（Ｖ）、周波数５００〜１５００（Ｈｚ）の正弦波とした。各実験パラメータは〔表１〕、実験結果は〔表２〕に示す。
【００３６】
【表１】
2004130597.tif 000003
【００３７】
【表２】
2004130597.tif 000004
実験では、〔表１〕の実験パラメータの計３２４水準（＝６×２×９×３）で行い、〔表２〕の実験結果では、これらの３２４水準の実験のうち、１つでも良かった場合に○とした。この結果によっても、粘度９０（ｍＰａ・ｓ）以下では、書込ヘッドが振動してトナー像形成不良が起こり、また、粘度１０１００（ｍＰａ・ｓ）以上では、書込ヘッドがドラムに引っ張られるため、トナー像形成不良が起こるが、粘度１００〜１００００（ｍＰａ・ｓ）においては、書込ヘッドの振動、書込ヘッドがドラムに引っ張られるのを抑える効果が現れ、トナー像形成不良が起こらなくなる効果の顕著であることが明らかになっている。
【００３８】
【発明の効果】
以上の説明から明らかなように、本発明によれば、像担持体に静電潜像を形成し現像して現像剤像を形成し転写体に転写する画像形成装置において、像担持体の表面に接触又は近接して書込電圧を印加し像担持体上に静電潜像を書き込む書込手段と、現像剤を供給して書込手段により像担持体上に形成された静電潜像を現像し現像剤像を形成する現像手段と、現像手段により像担持体に形成された現像剤像を転写体に転写する転写手段と、像担持体の表面に誘電性液体を供給する手段とを備え、像担持体の表面に誘電性液体が塗布された状態で書込手段により静電潜像を書き込むようにしたので、接触式の書込ヘッド（電極）と像担持体の摩擦力を低減し、書込ヘッド及び像担持体の磨耗を防止し、磨耗量の減少による長寿命化を実現できる。
【００３９】
書込手段は、像担持体上に複数の凸部を有する書込電極を並列に配置したものであることを特徴とし、像担持体の表面に塗布される誘電性液体は、凸部より厚い塗布膜を形成することを特徴とし、誘電性液体を供給する手段は、像担持体上の転写手段から現像手段までの間に配置されることを特徴とするので、書込ヘッドと像担持体の摩擦力を低減し、書込ヘッド及び像担持体の磨耗を防止すると共に書込ヘッド間でのリーク防止による良好な画像形成が可能になる。
【００４０】
像担持体上に電荷を一様にする除電部を備えることを特徴とし、誘電性液体を供給する手段は、像担持体上の電荷を一様にする除電部を兼ね備えることを特徴とし、除電部は、導電性部材で構成され且つ電圧を供給されることを特徴とするので、トナー像保持性能を向上し、装置の小型化を図ることができる。
【００４１】
誘電性液体を供給する手段は、誘電性液体を含む現像剤であり、該現像剤を現像手段から像担持体上に供給することにより塗布膜を形成することを特徴とし、誘電性液体は、粘度１００〜１００００（ｍＰａ・ｓ）の範囲のものであることを特徴とし、像担持体は、表面に島状に導電性微粒子が分散形成されているので、書込ヘッドと像担持体の摩擦力を低減し、書込ヘッド及び像担持体の磨耗を防止すると共に、磨耗量の減少による長寿命化を実現でき、トナー像保持性能を向上し、装置の小型化を図ることができ、書込ヘッド間でのリーク防止による良好な画像形成が可能になる。
【図面の簡単な説明】
【図１】本発明に係る画像形成装置の実施の形態を示す図である。
【図２】像担持体を独立フローティング電極構造とした本発明に係る画像形成装置の他の実施の形態を示す図である。
【図３】像担持体を誘電体層と抵抗層の二層構造とした本発明に係る画像形成装置の他の実施の形態を示す図である。
【図４】像担持体を独立電極単層構造とした本発明に係る画像形成装置の他の実施の形態を示す図である。
【図５】画像形成部の外観斜視図である。
【図６】誘電性液体の外部塗布機構を有する本発明に係る画像形成装置の他の実施の形態を示す図である。
【図７】除電機構を兼ねた誘電性液体の外部塗布機構を有する本発明に係る画像形成装置の他の実施の形態を示す図である。
【図８】除電機構を別配置した外部塗布機構を有する本発明に係る画像形成装置の他の実施の形態を示す図である。
【図９】帯電書込と液体現像を採用した本発明に係る画像形成装置のタンデム方式に採用した他の実施の形態を示す図である。
【図１０】帯電書込装置の基材を像担持体に弾性接触させ、基材に設けた書込電極により像担持体上に静電潜像を形成する画像形成装置の概略を説明するための図である。
【符号の説明】
１…画像形成装置、２…像担持体、３…書込ヘッド、４…現像装置、４ａ…現像剤担持体、４ｂ…供給部材、５…転写部、６…現像剤、７…誘電性液体
【図１】
2004130597.tif 000005
【図２】
2004130597.tif 000006
【図３】
2004130597.tif 000007
【図４】
2004130597.tif 000008
【図５】
2004130597.tif 000009
【図６】
2004130597.tif 000010
【図７】
2004130597.tif 000011
【図８】
2004130597.tif 000012
【図９】
2004130597.tif 000013
【図１０】
2004130597.tif 000014